(57)【要約】【課題】木造建築の長寿命化を図る上で問題となる耐震性を確保し、かつ壁の結露を防止する。【解決手段】木造建築１について、一対の柱材１５・１５と一対の補強材２３・２４と、で外壁２の開口部の外縁部を形成し、該補強材の幅を柱材の幅と略同じとし、補強材に上下に貫通するボルト孔２３ａ・２４ａを穿設し、柱材に左右に貫通するボルト孔１５ａを穿設し、羽子板ボルト２５のボルト部２５ｃを柱材のボルト孔に貫装し、該ボルト部とナット２６とを締結し、羽子板ボルトの帯板２５ａに設けられた貫通孔２５ｂと補強材のボルト孔とに貫装したボルト２７とナット２８とを締結し、かつ、壁内空間２１と外部とを横架材の上下面を貫通する連通孔３３・３４・３５により連通し、外部から壁内空間を経て再び外部に至る略上下方向の通気経路を形成するとともに、連通孔の孔径を木材の節の直径以下とした。【選択図】図３
2005127088.tif 000002
【特許請求の範囲】
【請求項１】
柱材と横架材と面材とで壁を構成する木造建築において、
一対の柱材と一対の上下水平方向に配置される補強材とで壁の開口部の外縁部を形成し、該補強材の幅を柱材の幅または横架材の幅と略同じとし、該補強材と該柱材との接合部に上下方向の荷重と左右方向の荷重とを支持する接合金具を設けたことを特徴とする木造建築。
【請求項２】
前記接合金具が羽子板ボルトであって、補強材の両側に上下に貫通するボルト孔を穿設し、柱材に左右に貫通するボルト孔を穿設し、羽子板ボルトのボルト部を柱材のボルト孔に貫装し、羽子板ボルトの帯板に設けられた孔と補強材のボルト孔とにボルトを貫装し、柱材と補強材とを羽子板ボルトとボルトとナットとで締結したことを特徴とする請求項１に記載の木造建築。
【請求項３】
前記接合金具を柱材の側面中途部にボルト固定し、該接合金具の側面に貫通孔を形成し、補強材の端面に該接合金具が嵌入される溝を形成するとともに補強材の側面に前記溝を貫通する貫通孔を形成し、接合金具に形成された貫通孔と補強金具に形成された貫通孔とを一致させてピンを貫装したことを特徴とする請求項１に記載の木造建築。
【請求項４】
柱材と横架材と面材とで壁を構成する木造建築において、
壁内空間と外部とを、または、横架材を挟んで上下に形成された壁内空間同士を、横架材の上下面を貫通する連通孔により連通し、外部から壁内空間および屋根裏空間を経て再び外部に至る略上下方向の通気経路を形成するとともに、連通孔の孔径を木材の節の直径以下としたことを特徴とする木造建築。
【請求項５】
前記連通孔のうち、外部と面する壁を形成する横架材に穿設する連通孔を平面視で外部寄りに配置したことを特徴とする請求項４に記載の木造建築。
【請求項６】
前記横架材と略同じ幅を有する支持部材を設け、該支持部材と横架材とを平面視格子状に組んだことを特徴とする請求項１から請求項５までのいずれか一項に記載の木造建築。
【発明の詳細な説明】
【技術分野】
【０００１】
本発明は、木造建築の構造に関する。より詳細には、耐震構造および結露防止による木造建築の長寿命化に関する。
【背景技術】
【０００２】
近年、木造建築に係る消費者のニーズとして、木造建築の長寿命化はますます重要視されているが、日本のように地震が多く、高温多湿な気候の地域においては、地震対策および壁の結露対策が木造建築の長寿命化を図る上で重要な位置を占める。
地震対策を施した（耐震構造を備えた）木造建築に関しては、構造体の接合部に接合金具等を設けたものや、矩形の構造体に筋交いを設けたものが挙げられる。例えば特許文献１に記載の如くである。
また、壁の結露対策を施した木造建築に関しては、壁内部の空間と外部とを連通して壁内部の空間に滞留した湿気を外部に放散可能としたものが挙げられる。例えば特許文献２に記載の如くである。
【０００３】
【特許文献１】特開２００２−１４６９０８号公報
【特許文献２】特開平１０−３１７５２７号公報
【発明の開示】
【発明が解決しようとする課題】
【０００４】
特許文献１に記載の木造建築の場合、構造体の接合部に設ける接合金具の個数が多くなると製造コストが増大となり、取付工数も増加する。
また、特許文献２に記載の木造建築の場合、壁内部の空間を連通するのは横架材の側面に設けた溝であるため、横架材に大きな外力が加わったときに該溝が横架材の破断のきっかけになり得るという問題がある。
【０００５】
本発明は上記の如き状況に鑑み、安価かつ効果的に耐震性能を向上させ、かつ構造体の強度を損ねることなく壁の結露を防止し、木造建築の長寿命化を達成するものである。
【課題を解決するための手段】
【０００６】
本発明の解決しようとする課題は以上の如くであり、次にこの課題を解決するための手段を説明する。
【０００７】
即ち、請求項１においては、柱材と横架材と面材とで壁を構成する木造建築において、一対の柱材と一対の上下水平方向に配置される補強材とで壁の開口部の外縁部を形成し、該補強材の幅を柱材の幅または横架材の幅と略同じとし、該補強材と該柱材との接合部に上下方向の荷重と左右方向の荷重とを支持する接合金具を設けたものである。
【０００８】
即ち、請求項２においては、前記接合金具が羽子板ボルトであって、補強材の両側に上下に貫通するボルト孔を穿設し、柱材に左右に貫通するボルト孔を穿設し、羽子板ボルトのボルト部を柱材のボルト孔に貫装し、羽子板ボルトの帯板に設けられた孔と補強材のボルト孔とにボルトを貫装し、柱材と補強材とを羽子板ボルトとボルトとナットとで締結したものである。
【０００９】
即ち、請求項３においては、前記接合金具を柱材の側面中途部にボルト固定し、該接合金具の側面に貫通孔を形成し、補強材の端面に該接合金具が嵌入される溝を形成するとともに補強材の側面に前記溝を貫通する貫通孔を形成し、接合金具に形成された貫通孔と補強金具に形成された貫通孔とを一致させてピンを貫装したものである。
【００１０】
請求項４においては、柱材と横架材と面材とで壁を構成する木造建築において、壁内空間と外部とを、または、横架材を挟んで上下に形成された壁内空間同士を、横架材の上下面を貫通する連通孔により連通し、外部から壁内空間および屋根裏空間を経て再び外部に至る略上下方向の通気経路を形成するとともに、連通孔の孔径を木材の節の直径以下としたものである。
【００１１】
請求項５においては、前記連通孔のうち、外部と面する壁を形成する横架材に穿設する連通孔を平面視で外部寄りに配置したものである。
【００１２】
請求項６においては、前記横架材と略同じ幅を有する支持部材を設け、該支持部材と横架材とを平面視格子状に組んだものである。
【発明の効果】
【００１３】
本発明の効果として、以下に示すような効果を奏する。
【００１４】
請求項１においては、木造建築の壁の開口部周囲の強度が上昇し、水平方向の外力に対する耐久性（耐震性）が向上し、木造建築の長寿命化を図ることが可能である。
【００１５】
請求項２においては、木造建築の壁の開口部周囲の強度が上昇し、水平方向の外力に対する耐久性（耐震性）が向上し、木造建築の長寿命化を図ることが可能である。特に、補強材の左右両端部の継手接合部の差し込み方向と羽子板ボルトのボルト部の長手方向とが略一致しているため、補強材の継手接合部が柱材から抜ける方向に外力が加わったときの強度に優れる。
【００１６】
請求項３においては、木造建築の壁の開口部周囲の強度が上昇し、水平方向の外力に対する耐久性（耐震性）が向上し、木造建築の長寿命化を図ることが可能である。特に、補強材の端部および柱材の中途部に継手接合部を形成する必要がないので、在来工法における強度上の問題点であった継手接合部における破壊を防止することが容易であり、補強材の長手方向に外力が加わったときの強度に優れる。
【００１７】
請求項４においては、壁内空間に空気が滞留することがなく、壁内空間内の結露を防止し、木造建築の長寿命化を図ることが可能である。
【００１８】
請求項５においては、昼間における該連通孔の内周面の温度をより高温とし、該連通孔を通過する空気をより昇温することが可能であり、通気（上方への空気の移動）が促進される
【００１９】
請求項６においては、木造建築の天井面および床面の強度が向上し、水平方向の外力に対する耐久性（耐震性）が向上する。
【発明を実施するための最良の形態】
【００２０】
以下では図１から図１０を用いて本発明の木造建築の実施の一形態である木造住宅１の説明を行う。
なお、本発明は本実施例の木造住宅１に限定されず、木造建築に広く適用可能である。
【００２１】
本明細書における「木造建築」とは、主な構造材料（後述する柱材、横架材、面材等）として木材を用いた建築物で、主に木造軸組工法（いわゆる在来工法）で建てられた建築物を指すが、木造枠組壁工法（いわゆるツーバイフォー工法）で建てられた建築物にも適用可能である。
また、以下の説明では、（１）木造建築の内部と外部とを隔てる壁を「外壁」、木造建築の内部空間を仕切る壁を「内壁」とし、外部壁と内壁とを総称して「壁」と呼ぶこととし、（２）通柱、管柱、間柱等その長手方向が地面の鉛直方向（上下方向）と略一致する木造建築の構造部材を総称して「柱材」と呼ぶこととし、（３）土台や大引、根太、床梁、梁等その長手方向が水平方向（地面の鉛直方向に対して垂直となる方向）と略一致する木造建築の構造部材を総称して「横架材」と呼ぶこととし、（４）柱材に設けられる板状の構造部材を総称して「面材」とし、特に外壁において柱材の外側に設けられる板材を「外面材」、外壁において柱材の内側に設けられる板材を「内面材」と呼ぶこととする。
【００２２】
以下では図１および図２を用いて木造住宅１の全体構成について説明する。
【００２３】
本発明の木造建築の実施の一形態である木造住宅１は木造軸組工法（いわゆる在来工法）で建てられた二階建ての建築物である。
木造住宅１は四方を外壁２で囲われ、その上部には屋根３が設けられる。外壁２には開口部が複数箇所形成されており、該開口部に窓４・４・・・、入口用扉５、勝手口用扉６等が設けられる。また、木造住宅１の内部空間を仕切る内壁（図示せず）が設けられ、該内壁にも開口部が形成されて扉が設けられたり、あるいは襖が設けられて押し入れ等の収納スペースが形成される。
【００２４】
以下では図３から図１０を用いて木造住宅１の外壁２の詳細構成について説明する。
図４および図５に示す如く、木造住宅１が建てられる地面に基礎コンクリート１１が形成され、該基礎コンクリート１１上に土台１２が載置され、図示せぬアンカーボルトにより土台１２が基礎コンクリート１１に強固に固定される。
このとき、図４に示す如く、基礎コンクリート１１と土台１２との間には所定の間隔を空けて介装部材１３・１３・・・が複数個介装され、基礎コンクリート１１と土台１２との間に隙間が形成される。介装部材１３は厚さが２〜３センチメートルの平板状の部材で、吸水率が小さい硬い栗材、石材、モルタル、金属、樹脂、ゴム等で構成される。
このように介装部材１３を土台１２と基礎コンクリート１１との間に介装し、隙間を形成することにより、土台１２と基礎コンクリート１１とが接する面を少なくし、基礎コンクリート１１から土台１２へ湿気が伝わるのを防止するとともに、該隙間により基礎コンクリート１１と一階床とで囲まれる空間（床下空間）と外部とを木造住宅１の全周にわたって通気可能とし、床下空間への湿気の滞留を防止している。
【００２５】
以下では外壁２を構成する柱材について説明する。
通柱１４は外壁２を構成する部材の一つであり、その下端部が木造住宅１の一階床の高さに配置される土台１２に接合され、二階天井の高さに配置される桁１７に接合される柱材である。
【００２６】
管柱１５は外壁２を構成する部材の一つであり、木造建築が二階建て以上の場合に、各階ごとに横架材を支持する柱材である。例えば、管柱１５はその下端部が木造住宅１の一階床の高さに配置される土台１２に接合され、上端部が二階床の高さに配置される胴差１８に接合される、あるいは下端部が二階床（一階天井）の高さに配置される胴差１８に接合され、上端部が二階天井の高さに配置される桁１７に接合される。
【００２７】
間柱１６は外壁２を構成する部材の一つであり、間柱１６は隣接する通柱１４と管柱１５の間、または隣接する管柱１５・１５の間に一本または複数本設けられる柱材である。
間柱１６は通柱１４や管柱１５と異なり、本来構造耐力上必要ではない柱材である（釘等により面材を固定するものである）ため、通常は通柱１４や管柱１５と比較して幅が小さい（細い）ものを用いる。
【００２８】
以下では外壁２を構成する横架材について説明する。
土台１２は外壁２を構成する部材の一つであり、一階床の高さに配置される横架材である。土台１２には通柱１４・１４・・・、管柱１５・１５・・・、間柱１６・１６・・・の下端部が継手により接合される。
【００２９】
桁１７は外壁２を構成する部材の一つであり、二階天井の高さに配置される横架材である。桁１７には通柱１４・１４・・・の上端部、二階の管柱１５・１５・・・の上端部、二階の間柱１６・１６・・・の上端部が継手により接合される。
【００３０】
胴差１８は外壁２を構成する部材の一つであり、二階床（一階天井）の高さに配置される横架材である。胴差１８には通柱１４・１４・・・の中途部、一階の管柱１５・１５・・・の上端部、二階の管柱１５・１５・・・の下端部、一階の間柱１６・１６・・・の上端部、二階の管柱１５・１５・・・の下端部が継手により接合される。
【００３１】
以下では外壁２を構成する面材について説明する。
外面材１９は外壁２を構成する部材の一つであり、柱材の外側に設けられて木造住宅１の外部に面する板状の部材である。
内面材２０は外壁２を構成する部材の一つであり、柱材の内側に設けられて木造住宅１の内部空間に面する板状の部材である。
【００３２】
壁内空間２１は、上記一対の柱材（通柱１４と間柱１６、管柱１５と間柱１６、二本の間柱１６・１６等）と、一対の横架材（土台１２と胴差１８、胴差１８と桁１７等）と、一対の面材（外面材１９と内面材２０等）とで囲まれる空間を指す。壁内空間２１には断熱材２９が配置され、断熱効果を向上させている。
断熱材２９は無機質（鉱物）系（発泡ガラス、グラスウール、ロックウール等）、の有機質系（セルロースファイバー、麻繊維、羊毛フェルト、牛毛フェルト、コルク、木炭等）、合成樹脂系（ポリエステルファイバー、発泡ポリスチレン、発泡ウレタン等）、混成系（グラスウールボード、木質繊維板、炭酸カルシウム発泡板等）等の材料からなり、ばら状、フェルト状、ボード状、液状（発泡体）等、種々の形状を有する。
このとき、断熱材２９は壁内空間２１を全て充填するのではなく内面材２０寄りとなる位置に配置され、各壁内空間２１の外面材１９寄りとなる位置には空気の層が形成される。
【００３３】
また、必要に応じて壁内空間２１には筋交い２２・２２・・・が側面視矩形の壁内空間２１の対角線上に配置され、外壁２にかかる水平方向の外力（地震の横揺れ等）に対する耐久性を向上させている。
【００３４】
図３および図１０に示す如く、本発明の木造住宅１においては、壁に形成された略矩形の開口部（窓や扉等を設ける部分）の外縁部のうち、上下の縁部を形成する補強材であるマグサ２３および窓台２４の幅を、構造耐力上必要とされる柱材（木造住宅１の自重および外力に耐える柱材）である通柱１４、管柱１５、または構造耐力上必要とされる横架材である土台１２、胴差１８、桁１７等、と略同じまたはそれ以上としている。
このように構成することにより、従来、木造建築の壁の強度を低下させる開口部周囲の強度が上昇し、水平方向の外力に対する耐久性（耐震性）が向上する。
【００３５】
また、本発明の木造住宅１においては、壁に形成された開口部の上縁部を形成する補強材であるマグサ２３と左右の柱材との接合および壁に形成された開口部の下縁部を形成する補強材である窓台２４と左右の柱材との接合を、継手と羽子板ボルト２５とを併用して行っている。
図９に示す如く、接合金具の実施の一形態である羽子板ボルト２５は、補強材（本実施例の場合マグサ２３または窓台２４）と柱材（本実施例の場合、通柱１４または管柱１５）との接合部に設けられ、補強材に加わる上下方向の荷重と左右方向（補強材の長手方向）に加わる荷重を支持するものである。
羽子板ボルト２５は、主に帯板２５ａ、貫通孔２５ｂ、ボルト部２５ｃで構成される。帯板２５ａは板状の金属材料（鋼等）からなる部材であり、中央部に貫通孔２５ｂが形成される。ボルト部２５ｃの一端は帯板２５ａの一辺に溶接等の方法で接合されており、ちょうど羽子板の如き形状を呈している。
【００３６】
図１０に示す如く、マグサ２３は管柱１５・１５間に横架され、マグサ２３の左右両端部は継手により管柱１５・１５の中途部に接合される。マグサ２３にはボルト孔２３ａ・２３ａがマグサ２３の上下面を貫通して穿設されている。
マグサ２３の左端部上面には羽子板ボルト２５が載置され、ボルト２７が貫通孔２５ｂおよびボルト孔２３ａに貫装される。該ボルト２７とナット２８とを締結することにより、マグサ２３の左端部上面に羽子板ボルト２５が固定される。一方、マグサ２３の左端部と接合されている管柱１５にはボルト孔１５ａが左右側面を貫通して穿設されており、羽子板ボルト２５のボルト部２５ｃが該ボルト孔１５ａに貫装され、ナット２６がボルト部２５ｃに螺装される。該ボルト部２５ｃとナット２６とを締結することにより、左側の管柱１５の中途部に羽子板ボルト２５が固定される。
同様にして、マグサ２３の右端部上面と右側の管柱１５の中途部に羽子板ボルト２５が固定される。
【００３７】
同様にして、窓台２４の左右両端部と管柱１５・１５とが羽子板ボルト２５・２５により固定される。
【００３８】
以上の如く、本実施例の木造建築１は、通柱１４・１４・・・、管柱１５・１５・・・、間柱１６・１６・・・等の柱材と、土台１２・１２・・・、胴差１８・１８・・・、桁１７・１７・・・等の横架材と、外面材１９・１９・・・、内面材２０・２０・・・等の面材とで外壁２を形成し、左右に所定の間隔を空けて隣接する一対の柱材と上下に所定の間隔を空けて水平方向に配置される一対の補強材（マグサ２３と窓台２４）とで外壁２の開口部の外縁部を形成し、補強材の幅を柱材の幅と略同じとし、補強材の両側に上下に貫通するボルト孔（ボルト孔２３ａ・２３ａおよびボルト孔２４ａ・２４ａ）を穿設するとともに柱材に左右に貫通するボルト孔（ボルト孔１５ａ・１５ａ・１５ａ・１５ａ）を穿設し、羽子板ボルト２５・２５・２５・２５のボルト部２５ｃ・２５ｃ・２５ｃ・２５ｃを柱材のボルト孔に貫装し、柱材と補強材とを羽子板ボルト２５・２５・２５・２５とボルト２７・２７・２７・２７とナット２６・２６・２６・２６とナット２８・２８・２８・２８とで締結したものである。
このように構成することにより、木造建築の壁の開口部周囲の強度が上昇し、水平方向の外力に対する耐久性（耐震性）が向上する。従って、木造建築の長寿命化を図ることが可能である。
特に、補強材であるマグサ２３および窓台２４の左右両端部の継手接合部の差し込み方向と羽子板ボルト２５・２５・・・のボルト部２５ｃ・２５ｃ・・・の長手方向とが略一致しているため、マグサ２３および窓台２４の継手接合部が柱材から抜ける方向に外力が加わったときの強度に優れる。
なお、木造建築の内壁の開口部についても、上記構成の開口部とすることにより同様の効果を奏する。さらに、出入口に対応する開口部のように、一対の補強材のうち、下の補強材を省略し、開口部の外縁部を一対の柱材と、補強材と、横架材とで構成する場合についても同様の効果を奏する。
【００３９】
また、補強材と柱材との接合部に設けられる接合金具としては、前記羽子板ボルト２５に限定されず、図１１に示す如き接合部材４０としても良い。
図１１に示す如く、接合金具の別実施例である接合部材４０は、中央面である柱材側固定面４０ａと、該中央面の左右の側面である補強材側固定面４０ｂ・４０ｃからなる平面視略コの字型の部材であり、補強材（本実施例の場合マグサ２３または窓台２４）と柱材（本実施例の場合、通柱１４または管柱１５）との接合部に設けられ、補強材に加わる上下方向の荷重と左右方向（補強材の長手方向）に加わる荷重を支持するものである。
柱材側固定面４０ａにはボルト孔４０ｄ・４０ｄ、補強材側固定面４０ｂには貫通孔４０ｅ・４０ｅ、補強材側固定面４０ｃには貫通孔４０ｆ・４０ｆがそれぞれ形成される。
ボルト４１・４１に平座金４２・４２を予め貫装しておき、該ボルト４１・４１を通柱１４の中途部側面に穿設されたボルト孔１４ａ・１４ａおよび接合部材４０のボルト孔４０ｄ・４０ｄに貫装し、ナット４２により締結する。このようにして、接合部材４０は柱材（図１１においては通柱１４）の中途部に強固にボルト固定される。
一方、マグサ２３の端面には予め接合部材４０に対応する形状の溝４４が形成され、該溝４４を前後に貫通する貫通孔４５・４５が形成される。
次に、溝４４内に接合部材４０を嵌入し、接合部材４０に形成された貫通孔４０ｅ・４０ｅおよび貫通孔４０ｆ・４０ｆと、マグサ２３に形成された貫通孔４５・４５とを一致させ、ピン４６・４６（またはボルトでも良い）を貫装する。このようにして、接合部材４０はマグサ２３に強固に固定される。
【００４０】
以上の如く構成することにより、木造建築の壁の開口部周囲の強度が上昇し、水平方向の外力に対する耐久性（耐震性）が向上する。従って、木造建築の長寿命化を図ることが可能である。
特に、図１１に示す接合部材４０の場合、補強材の端部および柱材の中途部に継手接合部を形成する必要がなく、接合金具を固定するために形成されるボルト孔や貫通孔等の断面積を小さくできるので、在来工法における強度上の問題点であった継手接合部における破壊を防止することが容易であり、補強材の長手方向に外力が加わったときの強度に優れる。
なお、上記接合部材４０は平面視略コの字型としたがこれに限定されず、平面視略Ｌ字型としても、平面視略Ｔ字型としても良い。また、接合部材を柱材または補強材に固定するためのボルト等の本数も限定されない。
【００４１】
以下では、図６から図８を用いて木造住宅１の床および天井の詳細構造について説明する。
図６に示す如く、木造住宅１の一階の床面は、外壁２・２・・・および内壁に対応する部分に横架材である土台１２・１２・・・が設けられ、該土台１２・１２上に横架される形で支持部材である根太３０・３０・・・が配置される。支持部材は床面（または天井面）を構成する板材を支持するものであり、支持部材の幅は床の自重および床面上の人間の重量を支持可能な範囲で選択される。従って、通常、横架材よりも幅の小さい（細い）材料が支持部材として用いられる。
【００４２】
図７に示す如く、木造住宅１の二階の床面は前記一階の床面と異なり、支持部材である根太３１・３１・・・の幅は横架材である胴差１８・１８・・・の幅と略同じである。そして、該根太３１・３１・・・と胴差１８・１８・・・とを平面視で格子状に組み、交差部分は継手により接合される。
このように構成することにより、木造住宅１の二階の床面の強度が向上し、水平方向の外力に対する耐久性（耐震性）が向上する。
【００４３】
図８に示す如く、木造住宅１の二階の天井面は前記一階の床面と異なり、天井板を支持するための根太３２・３２・・・の幅は横架材である桁１７・１７・・・の幅と略同じである。そして、該根太３２・３２・・・と桁１７・１７・・・とを平面視で格子状に組み、交差部分は継手により接合される。
このように構成することにより、木造住宅１の二階の天井面の強度が向上し、水平方向の外力に対する耐久性（耐震性）が向上する。
【００４４】
なお、一階の床面の根太３０・３０・・・の幅を土台１２・１２・・・の幅と略同じとして、一階床面の強度を向上させることも可能である。
【００４５】
以下では、図３から図８を用いて木造住宅１の外壁２・２・・・および内壁の内部空間の通気経路について詳細説明する。
図３および図４に示す如く、木造住宅１の外壁２・２・・・および内壁には、一対の柱材（例えば管柱１５・１５）と、一対の横架材（例えば土台１２と胴差１８）と、一対の面材（例えば外面材１９と内面材２０）とで囲まれる壁内空間２１・２１・・・が多数形成される。
【００４６】
図３、図４、図６に示す如く、基礎コンクリート１１上に介装部材１３・１３・・・を介して載置され、一階床面の高さに配置される横架材である土台１２・１２・・・には、土台１２・１２・・・の上面と下面とを貫通する連通孔３３・３３・・・が穿設される。
同様に、図３、図４、図７に示す如く、二階の床面の高さに配置される横架材である胴差１８・１８・・・には、胴差１８・１８・・・の上面と下面とを貫通する連通孔３４・３４・・・が穿設される。
同様に、図３、図４、図８に示す如く、二階の天井面の高さに配置される横架材である桁１７・１７・・・には、桁１７・１７・・・の上面と下面とを貫通する連通孔３５・３５・・・が穿設される。
【００４７】
このとき、連通孔３３・３３・・・、連通孔３４・３４・・・、連通孔３５・３５・・・の孔径を木材の節の直径以下とし、連通孔を穿設することによる横架材の強度低下を防止（強度低下が小さくなるように）し、横架材の強度が木造建築の構造材料としての強度を十分に確保可能としている。なお、節の直径は通常は２〜４センチメートル程度である。
【００４８】
以上の如く、本実施例の木造建築１は、通柱１４・１４・・・、管柱１５・１５・・・、間柱１６・１６・・・等の柱材と、土台１２・１２・・・、胴差１８・１８・・・、桁１７・１７・・・等の横架材と、外面材１９・１９・・・、内面材２０・２０・・・等の面材とで外壁２を形成し、横架材である土台１２・１２・・・に上下に貫通する連通孔３３・３３・・・を穿設し、同じく横架材である胴差１８・１８・・・に上下に貫通する連通孔３４・３４・・・を穿設し、同じく横架材である桁１７・１７・・・に上下に貫通する連通孔３５・３５・・・を穿設している。
そして、本実施例の木造建築１は、連通孔３３・３３・・・により一階の壁内空間２１・２１・・・と外部（または床下空間）とを連通し、連通孔３４・３４・・・により胴差１８・１８・・・を挟んで上下に形成された一階の壁内空間２１・２１・・・と二階の壁内空間２１・２１・・・とを連通し、連通孔３５・３５・・・により桁１７・１７・・・二階の壁内空間２１・２１・・・と屋根裏空間（本実施例の場合、二階天井面と屋根とで囲まれる空間）とを連通し、該屋根裏空間と外部とを連通して、外部（または床下空間）→基礎コンクリート１１と土台１２・１２・・・との間の隙間→連通孔３３・３３・・・→一階の壁内空間２１・２１・・・→連通孔３４・３４・・・→二階の壁内空間２１・２１・・・→連通孔３５・３５・・・→屋根裏空間→外部に至る略上下方向の通気経路を形成している。
また、補強材となるマグサ２３と窓台２４の上面または下面より垂直方向に配置される間柱１６と補強材の両側を支える柱材（通柱１４または管柱１５）には左右水平方向に連通孔が開口され、空気が流れるようにして、窓外縁部の上下で空気が滞留することを防止している。
【００４９】
このように構成することにより、昼間において、外壁２の壁内空間２１・２１・・・の空気は太陽光により昇温された外面材１９・１９・・・や横架材により暖められ、前記通気経路に沿って上昇していき、木造住宅１の上部から外部に放出される。逆に、夜間において、外壁２の壁内空間２１・２１・・・の空気は外気の気温が下がることにより冷やされ、前記通気経路に沿って下降していき、木造住宅１の下部より外部に放出される。
すなわち、壁内空間２１・２１・・・内に空気が滞留することがないので、壁内空間２１・２１・・・内の結露を防止し、木造住宅１の長寿命化を図ることが可能である。
また、壁内空間２１・２１・・・を乾燥した状態に保持することにより、該、壁内空間２１・２１・・・内におけるカビやダニ等の発生も防止することが可能である。
なお、連通孔の個数については横架材の強度に影響を与えない範囲で適宜選択可能である。また、連通孔の断面形状についても円形に限定されず矩形等でも良い。
【００５０】
さらに、前記外壁２・２・・・の連通孔３３・３３・・・、連通孔３４・３４・・・、連通孔３５・３５・・・を穿設する位置を平面視で外面材１９寄り（外部寄り）とすることで、昼間における該連通孔の内周面の温度をより高温とし、該連通孔を通過する空気をより昇温することが可能であり、通気（上方への空気の移動）が促進される。
【図面の簡単な説明】
【００５１】
【図１】木造住宅の側面図。
【図２】木造住宅の別方向の側面図。
【図３】外壁の軸組図。
【図４】外壁の断面図。
【図５】木造住宅の基礎コンクリートを示す平面図。
【図６】木造住宅の一階の床面構造を示す平面図。
【図７】木造住宅の二階の床面構造を示す平面図。
【図８】木造住宅の二階の天井面構造を示す平面図。
【図９】羽子板ボルトを示す斜視図。
【図１０】外壁の開口部を示す側面図。
【図１１】接合部材の斜視図。
【符号の説明】
【００５２】
１    木造住宅（木造建築）
２    外壁
１２  土台（横架材）
１４  通柱（柱材）
１５  管柱（柱材）
１６  間柱（柱材）
１７  桁（横架材）
１８  胴差（横架材）
１９  外面材（面材）
２０  内面材（面材）
２１  壁内空間
２３  マグサ（補強材）
２４  窓台（補強材）
２５  羽子板ボルト
３３  連通孔
３４  連通孔
３５  連通孔
【図１】
2005127088.tif 000003
【図２】
2005127088.tif 000004
【図３】
2005127088.tif 000005
【図４】
2005127088.tif 000006
【図５】
2005127088.tif 000007
【図６】
2005127088.tif 000008
【図７】
2005127088.tif 000009
【図８】
2005127088.tif 000010
【図９】
2005127088.tif 000011
【図１０】
2005127088.tif 000012
【図１１】
2005127088.tif 000013